(57)【要約】  【課題】  ディスク装置において、高速回転によるデータ読出し期間を最小限にし、振動・騒音を低減可能な技術の提供。  【解決手段】  装置内の記憶手段に記憶したキャッシュデータが、ホストコンピュータ側からのデータ読取り要求に合致するか否かを判定し、該判定の結果、合致する場合は、合致するキャッシュデータを記憶手段から直接ホストコンピュータ側に転送するとともに、ディスクの回転速度を低速にして先読みを行い、また、合致しない場合は、ディスクの回転速度を高速にして、合致するデータを新たにディスクから読み出してホストコンピュータ側に転送する。【選択図】  図２
2005190606.tif 000002
【特許請求の範囲】
【請求項１】
回転するディスクに対し情報の記録または再生を行うディスク装置であって、
上記ディスクから再生される情報をキャッシュデータとして記憶する記憶手段と、
ホストコンピュータ側からの読取り要求があるとき、上記記憶されているキャッシュデータが該読取り要求に合致するか否かを判定し、該判定結果に基づき上記ディスクの回転速度を制御する制御手段と、
を備え、上記ディスクからデータを読み出す際は、上記判定結果に基づき制御した速度で上記ディスクを回転させることを特徴とするディスク装置。
【請求項２】
ディスクに対し情報の記録または再生を行うディスク装置であって、
上記ディスクを回転させるディスクモータと、
上記ディスクモータを駆動するモータ駆動手段と、
上記ディスクから再生される情報をキャッシュデータとして記憶する記憶手段と、
ホストコンピュータ側からデータの読取り要求があったとき、上記記憶されているキャッシュデータが該要求に合致するか否かを判定する判定手段と、
上記判定の結果に基づき、上記ディスクの回転速度を設定する回転速度設定手段と、
を備え、上記判定の結果、上記キャッシュデータが上記読取り要求に合致するときは、該キャッシュデータを上記ホストコンピュータ側に転送するとともに、最後に上記記憶手段にキャッシュデータとして記憶されたデータに続くデータを上記ディスクから読み出す際には上記ディスクを第１の回転速度で回転させ、合致しないときは、上記ディスクを該第１の回転速度よりも高い第２の回転速度で回転させるとともに、ディスクから合致するデータを読み出して上記ホストコンピュータ側に転送する構成としたことを特徴とするディスク装置。
【請求項３】
上記回転速度設定手段は、上記記憶手段に記憶されているキャッシュデータが、上記ホストコンピュータ側からの読取り要求と複数回連続して合致した場合に、上記ディスクの回転速度を、上記第１の回転速度に設定する構成である請求項２に記載のディスク装置。
【請求項４】
上記回転速度設定手段は、上記記憶手段に記憶されているキャッシュデータが、上記ホストコンピュータ側からの読取り要求と複数回連続して合致しない場合に、上記ディスクの回転速度を、上記第２の回転速度に設定する構成である請求項２に記載のディスク装置。
【請求項５】
ディスクに対し情報の記録または再生を行うディスク装置のディスク回転速度制御方法であって、
ホストコンピュータ側からの読取り要求を受け取る第１のステップと、
装置内に記憶されているキャッシュデータが上記読取り要求に合致するか否かを判定する第２のステップと、
上記判定の結果、上記記憶されているキャッシュデータが、上記ホストコンピュータ側からの読取り要求と合致した場合には、上記ディスクを第１の回転速度で回転させ、上記記憶されているキャッシュデータが、上記ホストコンピュータ側からの読取り要求と合致しない場合には、上記ディスクを、該第１の回転速度よりも高い第２の回転速度で回転させる第３のステップと、
を経て、上記ディスクの回転速度を制御することを特徴とするディスク回転速度制御方法。
【請求項６】
ホストコンピュータ側からの読取り要求に対しキャッシュデータを転送するディスク装置のキャッシュデータ転送制御方法であって、
上記ホストコンピュータ側からの読取り要求を受け取る第１のステップと、
装置内に記憶されているキャッシュデータが上記読取り要求に合致するか否かを判定する第２のステップと、
上記判定結果に基づき、上記ディスクの回転速度を制御する第３のステップと、
上記制御されたディスク回転速度状態で、上記読取り要求に合致したキャッシュデータを、上記記憶されているキャッシュデータ内から選択して上記ホストコンピュータ側に転送するか、または、新たに上記ディスクから読取って装置内に記憶した後上記ホストコンピュータ側に転送する第４のステップと、
を経て、ホストコンピュータ側へキャッシュデータを転送することを特徴とするディスク装置のキャッシュデータ転送制御方法。
【請求項７】
上記第３のステップでは、上記記憶されているキャッシュデータが、上記ホストコンピュータ側からの読取り要求に複数回連続して合致した場合に、上記ディスクの回転速度を第１の回転速度に設定し、または、上記記憶されているキャッシュデータが、上記ホストコンピュータ側からの読取り要求に複数回連続して合致しない場合に、上記ディスクの回転速度を該第１の回転速度よりも高い第２の回転速度に設定する請求項６に記載のディスク装置のキャッシュデータ転送制御方法。
【発明の詳細な説明】
【技術分野】
【０００１】
本発明は、ディスクに対し情報を記録または再生するディスク装置に係り、特に、ディスクからデータを読み出すときのディスク回転速度制御技術及びホストコンピュータ側へのキャッシュデータ転送技術に関する。
【背景技術】
【０００２】
本発明に関連した従来技術としては、例えば、特開２００３−２８１８１５号公報（特許文献１）、特開２００３−２０３３５４号公報（特許文献２）及び特開２００２−９３０３９号公報（特許文献３）に記載された技術がある。特開２００３−２８１８１５号公報には、光ディスク再生装置におけるスピンドルモータの回転速度の増減により発生する騒音等の諸問題を解決するために、記憶部に一時的に格納される再生データの残量（蓄積量）の変化量を検出し、該検出した変化量に応じて光ディスクの回転速度を制御するとした技術が記載され、特開２００３−２０３３５４号公報には、光ディスクに記録されているデータの利用形態に応じて、必要最低限の最適ディスク回転速度でデータ再生を行い、低消費電力、振動抑制及び耐久性向上を可能にするために、光ディスク装置外部からの転送要求の頻度を検出し、該頻度に基づいてディスク回転速度を切換えるとした技術が記載され、また、特開２００２−９３０３９号公報には、コンピュータシステム側のデータ読取り性能に対応させてディスク装置の読取り性能を可変可能にして、騒音や消費電力の低減を図るために、コンピュータシステム側からのデータ読取り要求に対してデータを送出（転送）する速度（転送レート）を検出し、該検出した速度に基づきスピンドルモータの回転速度を増減させ、光ディスクからのデータの読取り速度を制御するとした技術が記載されている。
【０００３】
【特許文献１】特開２００３−２８１８１５号公報
【０００４】
【特許文献２】特開２００３−２０３３５４号公報
【特許文献３】特開２００２−９３０３９号公報
【発明の開示】
【発明が解決しようとする課題】
【０００５】
上記従来技術では、いずれも、ホストコンピュータ側からのデータ読取り要求があったとき、ある一定のモニタ期間を経なければ、光ディスクの回転速度を決定するための判断材料が正確に得られないため、光ディスクを無用に高速回転させた状態で該光ディスクからデータを読取りながらホストコンピュータ側へデータ転送するモードの頻度が多くなったり、該モード期間が長くなったりし易い。このため、光ディスク装置の振動や騒音を最小限にできないおそれがある。
本発明の課題点は、上記従来技術の状況に鑑み、光ディスク装置等のディスク装置において、振動や騒音が増大するディスクの無用な高速回転によるディスクからのデータ読出しの頻度及び期間を、必要最小限に抑えられるようにすることである。
本発明の目的は、かかる課題点を解決し、振動や騒音を一層低減したディスク装置を提供することにある。
【課題を解決するための手段】
【０００６】
上記課題点を解決するために、本発明では、ディスク装置において、ホストコンピュータ側からのデータ読取り要求を受け取ったとき、装置内の記憶手段に記憶されているキャッシュデータが上記読取り要求に合致（ヒット）するか否かを判定し、該判定結果に基づき、上記ディスクの回転速度を制御し、該回転速度状態で上記ディスクからのデータ読出しを行う。すなわち、上記判定の結果、上記記憶手段に記憶されているキャッシュデータが上記読取り要求に合致（ヒット）する場合は、該合致したキャッシュデータを、上記記憶手段から直接、上記ホストコンピュータ側に転送するとともに、最後に上記記憶手段に記憶されたデータに続くデータを上記ディスクから読み出す際には、該ディスクの回転速度を第１の回転速度となるようにし、また、上記判定の結果、上記記憶手段に記憶されているキャッシュデータが上記読取り要求に合致（ヒット）しない場合は、ディスクの回転を上記第１の回転速度よりも高速の第２の回転速度状態とし、新たに上記ディスクから合致（ヒット）するデータを読取って上記ホストコンピュータ側に転送する構成とする。
【発明の効果】
【０００７】
本発明によれば、ディスク装置において、ディスクの無用な高速回転によるディスクからのデータ読出しの頻度及び期間を必要最小限にすることができ、振動や騒音の一層の低減化を図ることができる。
【発明を実施するための最良の形態】
【０００８】
以下、本発明を実施するための最良の形態につき、図面を用いて説明する。
図１〜図２は、本発明の第１の実施形態の説明図である。図１は、本発明の第１の実施形態としての光ディスク装置の構成例図、図２は、図１の光ディスク装置のデータ転送動作の説明図である。
【０００９】
図１において、１は光ディスク装置、２は、光ディスク装置１に対しデータ読取り要求をするホストコンピュータ、３は光ディスク、４は、光ディスク３を回転駆動するディスクモータ、５は光ピックアップ、６は、光ピックアップ５からの読取り信号を再生信号として増幅するＲＦアンプ、７は、デジタル信号処理を行うＤＳＰ（Ｄｉｇｉｔａｌ  Ｓｉｇｎａｌ  Ｐｒｏｃｅｓｓｏｒ）、８は、再生信号データをキャッシュデータとして一時記憶するバッファメモリ、９は、光ディスク装置１とホストコンピュータ２との間を接続するＡＴＡＰＩインターフェース、１０は、装置全体を制御する制御手段としてのシステム制御マイコン、１１は、ディスクモータ４や光ピックップ５を駆動するドライバ、２０は、ホストコンピュータ２内のバッファメモリである。システム制御マイコン１０は、ホストコンピュータ２からデータ読取り要求があったとき、バッファメモリ８に記憶されているキャッシュデータが上記読取り要求に合致（ヒット）するか否かを判定する判定手段の機能と、該判定結果に基づき、ＤＳＰ７を制御して、ドライバ１１及びディスクモータ４を介して光ディスク３の回転速度を、予め決められた値に設定する回転速度設定手段の機能と、上記設定したディスク回転速度情報に基づき、上記ＤＳＰ７を制御してドライバ１１及びディスクモータ４を介して光ディスク３を回転させつつ、光ピックアップ５及びＲＦアンプ６及びＤＳＰ７を介して光ディスク３からデータを読取らせ、バッファメモリ８にキャッシュデータとして一時記憶させる読出し制御手段と、上記判定の結果に基づき上記ＤＳＰ７を制御して上記バッファメモリ８に一時記憶されたキャッシュデータを、ＤＳＰ７やＡＴＡＰＩインターフェース９を介して上記ホストコンピュータ側２へ転送する転送制御手段としての機能を有する。
【００１０】
上記構成において、ホストコンピュータ２からのデータ読取り要求を光ディスク装置１が、ＡＴＡＰＩインターフェース９を介して受け取ると、システム制御マイコン１０は、該読取り要求されたデータすなわち該読取り要求に合致（ヒット）するデータが、バッファメモリ８内にキャッシュデータ（以下、キャッシュヒットデータという）として存在する（記憶されている）か否かを判定する。該判定の結果、該キャッシュヒットデータが存在する場合（キャッシュヒットする場合）は、システム制御マイコン１０は、ＤＳＰ７を制御して、ドライバ１１及びディスクモータ４を介して光ディスク３の回転速度を、予め決められている第１の回転速度に設定し、最後にバッファメモリ８に記憶されたデータに続くデータを光ディスクから読み出す際には、該回転速度で回転させるとともに、該キャッシュヒットデータを、該バッファメモリ８から、ＤＳＰ７やＡＴＡＰＩインターフェース９を介して、ホストコンピュータ２側に転送させる。ホストコンピュータ２側では該転送されたデータをバッファメモリ２０に記憶する。上記第１の回転速度としては、例えば４〜１０倍速とする。一方、システム制御マイコン１０による上記判定の結果、バッファメモリ８内にキャッシュヒットデータが存在しない場合（キャッシュヒットしない場合）は、システム制御マイコン１０は、同じくＤＳＰ７を制御して、ドライバ１１及びディスクモータ４を介して光ディスク３の回転速度を、予め決められている第２の回転速度に設定し、該回転速度で回転させるとともに、ホストコンピュータ２側からの読取り要求に合致（ヒット）するデータを、光ピックアップ５、ＲＦアンプ６及びＤＳＰ７を介して光ディスク３から読取らせ、バッファメモリ８にキャッシュデータとして一時記憶させた後、該バッファメモリ８から、ＤＳＰ７やＡＴＡＰＩインターフェース９を介して、ホストコンピュータ２側に転送させる。ホストコンピュータ２側では該転送されたデータをバッファメモリ２０に記憶する。上記第２の回転速度としては、例えば２０〜４８倍速の高速とする。すなわち、キャッシュヒットしない場合のみ、光ディスク３を高速回転させて、ホストコンピュータ２側からの読取り要求に合致（ヒット）するデータを読出し、バッファメモリ８に格納（記憶）する。なお、上記キャッシュヒットする場合も、キャッシュヒットしない場合も、システム制御マイコン１０は、ホストコンピュータ２側へ要求されたデータの転送を終了させた後も、続きのデータを光ディスク３から読取らせる、いわゆる先読みにより、光ディスク３からデータを読み出させてバッファメモリ８に記憶させ、該バッファメモリ８をキャッシュデータで満たすようにする。
【００１１】
図２は、図１の光ディスク装置のデータ転送動作の説明図である。本図２の説明中で用いる図１の構成要素には、図１の場合と同じ符号を付して用いる。
図２において、
（１）光ディスク装置１が、ホストコンピュータ２からデータ読取り要求を受信する（ステップＳ２０１）。
（２）システム制御マイコン１０は、上記読取り要求されたデータがバッファメモリ８内に記憶されて存在するか否か、すなわちキャッシュヒットするか否かを判定する（ステップＳ２０２、ステップＳ２０３）。
（３）上記判定の結果、キャッシュヒットした場合は、システム制御マイコン１０は、光ディスク３の回転速度を、予め決められている第１の回転速度（例えば、４〜１０倍速）に設定する（ステップＳ２０４）。
（４）上記ステップＳ２０２、ステップＳ２０３における判定の結果、キャッシュヒットしない場合は、システム制御マイコン１０は、光ディスク３の回転速度を、予め決められている第２の回転速度（例えば２０〜４８倍速）に設定する（ステップＳ２０５）。
（５）システム制御マイコン１０は、ＤＳＰ７を制御して、ドライバ１１及びディスクモータ４を介して光ディスク３を、上記ステップＳ２０４または上記ステップＳ２０５において設定した第１または第２の回転速度で回転させ、ホストコンピュータ２側からの上記読取り要求に合致（ヒット）するデータを、光ピックアップ５、ＲＦアンプ６及びＤＳＰ７を介して光ディスク３から読取らせ、バッファメモリ８にキャッシュデータとして一時記憶させる（ステップＳ２０６）。
【００１２】
（６）上記ステップＳ２０２、上記ステップＳ２０３における判定の結果、キャッシュヒットした場合は、システム制御マイコン１０は、キャッシュヒットしバッファメモリ８上に存在するキャッシュヒットデータを、バッファメモリ８から、ＤＳＰ７やＡＴＡＰＩインターフェース９を介して、ホストコンピュータ２側に転送させる（ステップＳ２０７）。また、一方、上記ステップＳ２０２、上記ステップＳ２０３における判定の結果、キャッシュヒットしない場合は、システム制御マイコン１０は、上記ステップＳ２０６でバッファメモリ８に記憶させたキャッシュデータを、該バッファメモリ８から、ＤＳＰ７やＡＴＡＰＩインターフェース９を介して、ホストコンピュータ２側に転送させる（ステップＳ２０７）。
（７）システム制御マイコン１０は、ホストコンピュータ２側から受信した１回のデータ読取り要求に対する全データの転送が終了したか否かを判定する（ステップＳ２０８）。
（８）上記ステップＳ２０８における判定の結果、全データの転送が終了している場合は、システム制御マイコン１０は、ホストコンピュータ２側へのデータ転送処理を終了させる（ステップＳ２０９）。上記ステップＳ２０８における判定の結果、全データの転送が終了していない場合は、上記ステップＳ２０６の処理に戻る。
（９）ホストコンピュータ２側へのデータ転送処理を終了後、バッファメモリ８に空きがあるか否かを判定する（ステップＳ２１０）。
（１０）上記ステップＳ２１０における判定の結果、上記空きがない場合は、システム制御マイコン１０は、先読み動作を停止させ（ステップＳ２１１）、装置の読出し処理を終了させる（ステップＳ２１２）。
（１１）上記ステップＳ２１０における判定の結果、上記空きがある場合は、システム制御マイコン１０は、ＤＳＰ７を制御してドライバ１１及びディスクモータ４を介して光ディスク３を、上記ステップＳ２０４または上記ステップＳ２０５において設定した第１または第２の回転速度で回転させ、先読み動作を継続して実行させる（ステップＳ２１３）。
【００１３】
上記図２で述べた光ディスク装置１の動作は、予め装置内で設定されているプラグラムにより、システム制御マイコン１０が上記の動作手順を実行することで行われる。該プログラムは、光ディスク装置１内の記憶手段または該装置に装着されるハードディスク等に記憶されるものとする。
【００１４】
上記本発明の第１の実施形態によれば、キャッシュヒットする場合は、ホストコンピュータ２側へのデータ転送を行うとともに、光ディスク３を低速度で回転させて先読みを行い、キャッシュヒットしない場合にのみ、光ディスク３を高速回転させて、ホストコンピュータ２側からの読取り要求に合致（ヒット）するデータの読出しを行いながら、ホストコンピュータ２側へのデータ転送を行うため、光ディスク３の高速回転下でのデータ読出しの頻度及び期間を必要最小限にすることができ、振動や騒音の一層の低減化を図ることができる。
【００１５】
図３は、本発明の第２の実施形態の説明図である。本第２の実施形態としての光ディスク装置は、ハードウェア的構成は上記図１に示す上記第１の実施形態の構成と同様であるが、システム制御マイコンに動作手順を実行させるプログラムの構成が、上記第１の実施形態の場合と一部異なる。本図３の説明中で用いる光ディスク装置の構成要素で図１の場合と同じ構成要素には、図１の場合と同じ符号を付すとする。
図３において、
（１）光ディスク装置１が、ホストコンピュータ２からデータ読取り要求を受信する（ステップＳ３０１）。
（２）システム制御マイコン１０は、上記読取り要求されたデータがバッファメモリ８内に記憶されて存在するか否か、すなわちキャッシュヒットするか否かを判定する（ステップＳ３０２、ステップＳ３０３）。
（３）上記判定の結果、キャッシュヒットした場合、システム制御マイコン１０は、さらに、光ディスク装置１が内部的に記憶している直近の複数回のホストコンピュータ２からのデータ読取り要求におけるキャッシュヒット判定の結果を参照し、連続して複数回キャッシュヒットするか否かを判定する（ステップＳ３０４）。
（４）上記ステップＳ３０４における判定の結果、連続して複数回キャッシュヒットした場合は、システム制御マイコン１０は、光ディスク３の回転速度を、予め決められている第１の回転速度（例えば、４〜１０倍速）に設定する（ステップＳ３０５）。
（５）上記ステップＳ３０４における判定の結果、連続して複数回はキャッシュヒットしなかった場合は、システム制御マイコン１０は、光ディスク３の回転速度を変更せずにそのままとする（ステップＳ３０６）。
【００１６】
（６）上記ステップＳ３０２、ステップＳ３０３における判定の結果、キャッシュヒットしない場合は、システム制御マイコン１０は、さらに、光ディスク装置１が内部的に記憶している直近の複数回のホストコンピュータ２からのデータ読取り要求におけるキャッシュヒット判定の結果を参照し、連続して複数回キャッシュヒットしないか否かを判定する（ステップＳ３０７）。
（７）上記ステップＳ３０７における判定の結果、連続して複数回キャッシュヒットしない場合は、システム制御マイコン１０は、光ディスク３の回転速度を、予め決められている第２の回転速度（例えば２０〜４８倍速）に設定する（ステップＳ３０８）。
（８）上記ステップＳ３０７における判定の結果、連続して複数回キャッシュヒットしない場合でない場合、すなわち、複数回のうちにはキャッシュヒットすることがある場合は、システム制御マイコン１０は、光ディスク３の回転速度を変更せず、そのままとする（ステップＳ３０９）。
（９）システム制御マイコン１０は、ＤＳＰ７を制御して、ドライバ１１及びディスクモータ４を介して光ディスク３を、上記ステップＳ３０５、上記ステップＳ３０６、上記ステップＳ３０８、上記ステップＳ３０９のいずれかにおいて設定された回転速度で回転させ、ホストコンピュータ２側からの上記読取り要求に合致（ヒット）するデータを、光ピックアップ５、ＲＦアンプ６及びＤＳＰ７を介して光ディスク３から読取らせ、バッファメモリ８にキャッシュデータとして一時記憶させる（ステップＳ３１０）。
（１０）上記ステップＳ３０２、上記ステップＳ３０３における判定の結果、キャッシュヒットした場合は、上記ステップＳ３０４における判定の結果のいかんに関わらず、システム制御マイコン１０は、該キャッシュヒットしたデータ（キャッシュヒットデータ）を、バッファメモリ８から、ＤＳＰ７やＡＴＡＰＩインターフェース９を介して、ホストコンピュータ２側に転送させる（ステップＳ３１１）。また、一方、上記ステップＳ３０２、ステップＳ３０３における判定の結果、キャッシュヒットしない場合は、上記ステップＳ３０７における判定結果のいかんに関わらず、システム制御マイコン１０は、上記ステップＳ３１０でバッファメモリ８に記憶させたキャッシュデータを、該バッファメモリ８から、ＤＳＰ７やＡＴＡＰＩインターフェース９を介して、ホストコンピュータ２側に転送させる（ステップＳ３１１）。
【００１７】
（１１）システム制御マイコン１０は、ホストコンピュータ２側から受信した１回のデータ読取り要求に対する全データの転送が終了したか否かを判定する（ステップＳ３１２）。
（１２）上記ステップＳ３１２における判定の結果、全データの転送が終了している場合は、システム制御マイコン１０は、ホストコンピュータ２側へのデータ転送処理を終了させる（ステップＳ３１３）。上記ステップＳ３１２における判定の結果、全データの転送が終了していない場合は、上記ステップＳ３１０の処理に戻る。
（１３）ホストコンピュータ２側へのデータ転送処理を終了後、バッファメモリ８に空きがあるか否かを判定する（ステップＳ３１４）。
（１４）上記ステップＳ３１４における判定の結果、上記空きがない場合は、システム制御マイコン１０は、先読み動作を停止させ（ステップＳ３１５）、装置の読出し処理を終了させる（ステップＳ３１６）。
（１５）上記ステップＳ３１４における判定の結果、上記空きがある場合は、システム制御マイコン１０は、ＤＳＰ７を制御して、ドライバ１１及びディスクモータ４を介して光ディスク３を、上記ステップＳ３０５、上記ステップＳ３０６、上記ステップＳ３０８、上記ステップＳ３０９のいずれかにおいて設定された回転速度で回転させ、先読み動作を継続して実行させる（ステップＳ３１７）。
【００１８】
上記図３で述べた光ディスク装置１の動作は、予め装置内で設定されているプラグラムにより、システム制御マイコン１０が上記の動作手順を実行することで行われる。該プログラムは、光ディスク装置１内の記憶手段または該装置に装着されるハードディスク等に記憶されるものとする。
【００１９】
上記本発明の第２の実施形態によっても、光ディスク３の高速回転下でのデータ読出しの頻度及び期間を必要最小限のものとすることができ、振動や騒音の一層の低減化を図ることができる。
【００２０】
なお、上記各実施形態において、光ディスクの回転速度としての第１の回転速度または第２の回転速度としてそれぞれ、複数の回転速度が設定されるようにしてもよい。この場合において、回転速度の切換え制御時に発振が発生するときは、特定の１つの回転速度に固定するようにしてもよい。また、上記実施形態は、光ディスク装置の場合であるが、本発明は光ディスク装置に限定されない。
【図面の簡単な説明】
【００２１】
【図１】本発明の実施形態としての光ディスク装置の構成例図である。
【図２】図１の光ディスク装置の動作説明図である。
【図３】本発明の第２の実施形態の説明図である。
【符号の説明】
【００２２】
１…光ディスク装置、
２…ホストコンピュータ、
３…光ディスク、
４…ディスクモータ、
５…光ピックアップ、
６…ＲＦアンプ、
７…ＤＳＰ、
８、２０…バッファメモリ、
９…ＡＴＡＰＩインターフェース、
１０…システム制御マイコン、
１１…ドライバ。
【図１】
2005190606.tif 000003
【図２】
2005190606.tif 000004
【図３】
2005190606.tif 000005